(57)【要約】【課題】  脳波等の生体内部の電気信号や機能情報を検出する生体情報検出装置において、医療診断を短時間で行うことができるようにする。【解決手段】  生体Ｈの表面に電極部１５を接触させて前記生体Ｈからの電気信号を取り出す生体信号検出部１１と、前記生体Ｈの表面に検出器本体２７を接触させて前記生体Ｈの機能情報を検出する機能情報検出部１３とを備え、前記電極部１５と前記検出器本体２７とが互いに隣接して配されることを特徴とする生体情報検出装置３を提供する。【選択図】    図１
2006000161.tif 000002
【特許請求の範囲】
【請求項１】
生体の表面に電極部を接触させて前記生体からの電気信号を取り出す生体信号検出部と、前記生体の表面に検出器本体を接触させて前記生体の機能情報を検出する機能情報検出部とを備え、
前記電極部と前記検出器本体とが互いに隣接して配されることを特徴とする生体情報検出装置。
【請求項２】
前記電極部と前記検出器本体とが一体的に固定されていることを特徴とする請求項１に記載の生体情報検出装置。
【請求項３】
前記検出器本体及び前記電極部を前記生体の表面に固定可能な状態で前記生体に装着される装着部材を備えることを特徴とする請求項１又は請求項２に記載の生体情報検出装置。
【請求項４】
前記機能情報検出部が、前記生体の表面に向けて照射光を照射する光照射部と、前記生体内部において拡散あるいは透過した前記照射光を受光して、前記機能情報を前記照射光の光強度として検出する受光部とを備えることを特徴とする請求項１から請求項３のいずれか１項に記載の生体情報検出装置。
【請求項５】
請求項１から請求項３のいずれか１項に記載の生体情報検出装置と、
前記電極部により取り出した前記電気信号に基づいて活性度を演算する電気信号演算手段と、
前記電気信号演算手段の演算結果及び前記機能情報を同一の画面に表示する表示手段とを備えることを特徴とする生体情報測定システム。
【請求項６】
請求項４に記載の生体情報検出装置と、
前記電極部により取り出した前記電気信号に基づいて活性度を演算する電気信号演算手段と、
前記光強度に基づいて前記機能情報を演算する光信号演算手段と、
前記電気信号演算手段及び前記光信号演算手段の演算結果を同一の画面に表示する表示手段とを備えることを特徴とする生体情報測定システム。
【請求項７】
前記表示手段が、前記画面に前記生体を示すモデル画像を表示すると共に、該モデル画像に前記活性度及び前記機能情報を重ねて表示することを特徴とする請求項５又は請求項６に記載の生体情報測定システム。
【発明の詳細な説明】
【技術分野】
【０００１】
この発明は、脳波等の生体から発生する生体信号を検出するための生体情報検出装置、及びこれを備えた生体情報測定システムに関するものである。
【背景技術】
【０００２】
従来の生体情報検出装置としては、人間の体（生体）の表面に電極部を接触させて体から発生する電気信号を取得するものがある（例えば、特許文献１参照。）。この電気信号は、体内のニューロン活動によって発生するものであり、このニューロン活動に基づいて医療診断を行っていた。すなわち、例えば、このニューロン活動が脳内におけるものである場合には、検出した電気信号に基づいてアルツハイマー型痴呆の患者と正常者との区別をする客観的な指標値を測定し、この指標値を参照して医療診断を行っていた。
ところで、体内にはニューロン活動の他にも血管を流れる血液量等の各種機能情報も存在するため、電気信号に加えてこの機能情報も参照して医療診断を行うことがある。すなわち、例えば、痴呆にはアルツハイマー型痴呆の他にも脳内血管性痴呆等、複数種類あり、さらに、これら複数種類の痴呆が混合している場合もあるため、痴呆の医療診断を行う前には体内の機能情報も取得していた。
【特許文献１】特開２００２−１７７２３１号公報
【発明の開示】
【発明が解決しようとする課題】
【０００３】
しかしながら、従来の生体情報検出装置においては、体から発生する電気信号だけを取得していたため、各種機能情報を取得する際には別途検査を行う必要があり、医療診断を行うまでの時間が長いという問題がある。
この発明は上述した事情に鑑みてなされたものであって、医療診断を短時間で行うことができる生体情報検出装置、及びこれを備えた生体情報測定システムを提供することを目的としている。
【課題を解決するための手段】
【０００４】
上記目的を達成するために、この発明は、以下の手段を提供する。
請求項１に係る発明は、生体の表面に電極部を接触させて前記生体からの電気信号を取り出す生体信号検出部と、前記生体の表面に検出器本体を接触させて前記生体の機能情報を検出する機能情報検出部とを備え、前記電極部と前記検出器本体とが互いに隣接して配されることを特徴とする生体情報検出装置を提供する。
【０００５】
この発明によれば、生体表面の所定位置における電気信号に加えて機能情報も同時に取得できるため、生体内部のニューロン活動及び機能情報を参照した医療診断を短時間で行うことができると共に、ニューロン活動及び機能情報の時間的な変化も同時に検出することができる。ここで、機能情報とは、例えば、生体内部の血管を流れる血液量の変化を示している。なお、血管を流れる血液量の変化は、ニューロン活動等によって誘起されるものである。
【０００６】
請求項２に係る発明は、請求項１に記載の生体情報検出装置において、前記電極部と前記検出器本体とが一体的に固定されていることを特徴とする生体情報検出装置を提供する。
この発明によれば、電極部と検出器本体との相対的な位置が予め固定されるため、生体表面に電極部及び検出器本体を取り付ける際に、電極部の位置に対する検出器本体の位置決めを行う必要がなく、電極部及び検出器本体を生体表面に容易に取り付けることができる。
【０００７】
請求項３に係る発明は、請求項１又は請求項２に記載の生体情報検出装置において、前記検出器本体及び前記電極部を前記生体の表面に固定可能な状態で前記生体に装着される装着部材を備えることを特徴とする生体情報検出装置を提供する。
この発明によれば、生体に装着部材を取り付けるだけで、電気信号及び機能情報を取得可能な状態に電極部及び検出器本体の位置を固定できるため、これら電極部及び検出器本体の生体への取り付け作業が容易となる。また、生体に装着部材を取り付けた状態においては、電極部及び検出器本体が生体表面に固定されるため、生体が動いても電気信号及び機能情報を安定して取得できる。
【０００８】
請求項４に係る発明は、請求項１から請求項３のいずれか１項に記載の生体情報検出装置において、前記機能情報検出部が、前記生体の表面に向けて照射光を照射する光照射部と、前記生体内部において拡散あるいは透過した前記照射光を受光して、前記機能情報を前記照射光の光強度として検出する受光部とを備えることを特徴とする生体情報検出装置を提供する。
この発明によれば、生体内部に存在する特定物質の濃度が、照射光の波長に応じて生体内部において拡散あるいは透過した照射光の光強度として受光部において検出される。したがって、例えば、前述の特定物質が酸化ヘモグロビンや還元ヘモグロビンである場合には、受光部において検出した光強度に基づいて酸化、還元ヘモグロビン濃度やその変化量を検出することが可能となるため、生体内部の血液量変化を検出することができる。
【０００９】
請求項５に係る発明は、請求項１から請求項３のいずれか１項に記載の生体情報検出装置と、前記電極部により取り出した前記電気信号に基づいて活性度を演算する電気信号演算手段と、前記電気信号演算手段の演算結果及び前記機能情報を同一の画面に表示する表示手段とを備えることを特徴とする生体情報測定システムを提供する。
【００１０】
請求項６に係る発明は、請求項４に記載の生体情報検出装置と、前記電極部により取り出した前記電気信号に基づいて活性度を演算する電気信号演算手段と、前記光強度に基づいて前記機能情報を演算する光信号演算手段と、前記電気信号演算手段及び前記光信号演算手段の演算結果を同一の画面に表示する表示手段とを備えることを特徴とする生体情報測定システムを提供する。
【００１１】
これらの発明によれば、生体の活性度及び機能情報を同時に視覚的に確認することができるため、生体内部の活性度及び機能情報に基づく医療診断を容易に行うことができる。
なお、活性度とは、生体内部のニューロン活動を示す指標であり、１つの電極部における電気信号の時間的な変化の度合や、複数の電極部を設置した生体表面の一定領域内における電気信号の空間的な変化の度合を示している。この活性度の数値は、例えば、検出される電気信号が脳から発生するものである場合、被験者がアルツハイマー型痴呆の患者であるか否かの判断に使用されるものである。また、例えば、機能情報が脳内における血液量変化である場合には、血液量変化の数値に基づいて被験者が脳内血管性痴呆の患者か否かの判断を行うことができる。
【００１２】
請求項７に係る発明は、請求項５又は請求項６に記載の生体情報測定システムにおいて、前記表示手段が、前記画面に前記生体を示すモデル画像を表示すると共に、該モデル画像に前記活性度及び前記機能情報を重ねて表示することを特徴とする生体情報測定システムを提供する。
この発明によれば、表示手段の画面において、活性度及び機能情報がモデル画像に重ねて表示されるため、生体内部の活性度と機能情報との相関を視覚的に把握することができる。
【発明の効果】
【００１３】
請求項１に係る発明によれば、電極部と検出器本体とを相互に隣接させた状態で生体表面に配することにより、生体の所定位置における電気信号や機能情報を同時に検出できるため、生体内部のニューロン活動に加えて生体内部の機能情報にも基づく医療診断を短時間で行うことができる。
また、ニューロン活動及び機能情報の時間的な変化も同時に検出できるため、生体内部のニューロン活動と機能情報との相関に基づく医療診断を容易に行うことができる。
さらに、ニューロン活動は血管を流れる血液量を変化させるため、例えば、取得する機能情報が血液量変化である場合には、電気信号及び機能情報の両方からニューロン活動を詳細に調べることもできる。
【００１４】
また、請求項２に係る発明によれば、電極部と検出器本体との相対的な位置が予め固定されるため、生体表面に対する電極部及び検出器本体の位置決めを容易に行うことができる。
【００１５】
さらに、請求項３に係る発明によれば、生体に装着部材を取り付けるだけで電極部及び検出器本体を生体表面に固定でき、また、生体が動いても電気信号及び機能情報を安定して取得できる。
【００１６】
また、請求項４に係る発明によれば、受光部において生体内部に存在する特定物質の濃度を光強度として検出できるため、特定物質の機能情報を正確に測定することができる。
【００１７】
さらに、請求項５及び請求項６に係る発明によれば、これら活性度及び機能情報を表示手段において視認することにより、生体内部の活性度及び機能情報に基づく医療診断を容易に行うことができる。
【００１８】
また、請求項７に係る発明によれば、活性度と機能情報との相関を視覚的に把握することができるため、生体内部のニューロン活動と機能情報との相関に基づく医療診断をさらに容易に行うことができる。
【発明を実施するための最良の形態】
【００１９】
図１から図４は本発明に係る生体情報測定システムの一実施形態を示している。この生体情報測定システムは、脳波や脳内の血管を流れる血液量変化に基づいて痴呆患者と正常者とを区別する客観的な指標値を測定するものである。図１に示すように、この生体情報測定システム１は、脳内において発生する電気信号や脳内において拡散もしくは透過した光を検出する生体情報検出装置３と、電気信号に基づいて脳波（生体信号）の計測を行う生体信号計測装置５と、検出した光に基づいて、脳内の血管を流れる血液量の変化（機能情報）の計測を行う機能情報計測装置７とを備えている。
生体情報検出装置（脳情報検出ヘルメット）３は、頭部（生体）Ｈに被せるヘルメット（装着部材）９と、脳内のニューロン活動によって生じる電気信号を検出する生体信号検出部（生体信号検出手段，脳波検出手段）１１と、頭部Ｈに照射光を照射して脳内において拡散もしくは透過した光強度を検出する機能情報検出部（生体機能検出手段，脳機能検出手段）１３とを備えている。そして、生体信号検出部１１は、ヘルメット９に設けられた複数の電極部１５と、各電極部１５及び生体信号計測装置５を相互に電気的に接続するリード線１７とを備えている。
【００２０】
電極部１５は、図２に示すように、頭部Ｈからの電気信号を取得するための電極本体１９と、電極本体１９の表面１９ａに着脱可能に取り付けられた電解質保持部材２１とを備えている。電極本体１９は、導電性を有する金属材料から形成され、その表面１９ａが頭部Ｈの表面Ｈｓに対向するように、ヘルメット９の取付部９ａに対して着脱可能に固定されている。
電解質保持部材２１は、液体状の電解質を吸収して保持するものであり、頭部Ｈの表面Ｈｓに接触するように配されている。電解質保持部材２１としては、吸水性に優れるものが好ましく、例えば、綿やフェルト等の不織布やスポンジ、ウレタン等の多孔質材料が挙げられる。この電解質保持部材２１は、頭部Ｈの表面Ｈｓと電極本体１９との間に電解質を介在させて頭部Ｈの表面Ｈｓと電極本体１９とを電気的に接続しているため、頭部Ｈからの電気信号を安定して取得することができる。
【００２１】
機能情報検出部１３は、図１に示すように、光照射部２３、受光部（光検出部）２５及び光ファイバー保持部（検出器本体）２７を備えており、所謂光トポグラフィセンサを構成している。
光照射部２３は、変調半導体レーザ２９と、これに接続された複数の照射用光ファイバー３１とから構成されており、変調半導体レーザ２９は、２種類の波長の近赤外光を混合した照射光を発生するものである。そして、この変調半導体レーザ２９から延びる各照射用光ファイバー３１の一端は、頭部Ｈの表面に向けて配されており、照射光を頭部Ｈの内部に照射することができる。
なお、これら２種類の波長は、脳内に存在する酸化ヘモグロビン濃度及び還元ヘモグロビン濃度を各々独立して計測するように設定されている。すなわち、酸化、還元ヘモグロビンの光の吸収特性は相互に異なっており、この特性の違いにより酸化、還元ヘモグロビン濃度をそれぞれ区別して計測することができる。
【００２２】
受光部２５は、フォトダイオード３３と、これに接続された複数の受光用光ファイバー３５とを備えており、フォトダイオード３３は、頭部Ｈの内部において拡散あるいは透過した照射光をその光強度に応じた電流値データに変換するものである。すなわち、フォトダイオード３３から延びる各受光用光ファイバー３５の一端は、頭部Ｈの内部において拡散あるいは透過した照射光を集光できるように、照射用光ファイバー３１と同様に頭部Ｈの表面に向けて配されている。
【００２３】
変調半導体レーザ２９及びフォトダイオード３３から延びた各１つずつの照射用光ファイバー３１及び受光用光ファイバー３５の一端は、図２に示すように、光ファイバー保持部２７によって一体的に固定されている。この光ファイバー保持部２７は、照射用光ファイバー３１と受光用光ファイバー３５との間隔が一定となるように保持している。また、各光ファイバー保持部２７は、各電極部１５に隣接するようにヘルメット９の取付部９ａに対して着脱可能に固定されている。なお、ヘルメット９の取付部９ａは、電極部１５及び光ファイバー保持部２７のいずれも取り付けられるようになっており、例えば、電極部１５及び光ファイバー保持部２７の取り付け位置を相互に交換することができる。
【００２４】
生体信号計測装置５は、図１に示すように、電極部１５において検出した複数の電気信号を増幅するアンプ３７と、複数の電気信号を多重化するマルチプレクサ３９と、アナログの電気信号をデジタルに変換するアナログ／デジタル変換器（Ａ／Ｄ変換器）４１と、デジタル化された電気信号を取り扱うコンピュータ４３とを備えている。
コンピュータ４３は、Ａ／Ｄ変換器からデジタル信号として出力された電気信号を入力するための入力インターフェース（入力Ｉ／Ｆ）４５、ＣＰＵ４７、メモリ４９、及び外部機器に各種データを出力する出力インターフェース（出力Ｉ／Ｆ）５１を備え、これら入力Ｉ／Ｆ４５、ＣＰＵ４７、メモリ４９及び出力Ｉ／Ｆ５１は、バス５３により相互に接続されている。
【００２５】
メモリ４９には、電極部１５において検出した電気信号に基づいて脳の活性度を演算するための演算プログラムや、各種設定値、被験者の頭部Ｈのモデル画像データ等が予め記憶されており、また、演算された活性度を記憶させることができるようになっている。ＣＰＵ４７は、メモリ４９から演算プログラムを読み出し、入力Ｉ／Ｆ４５から入力された電気信号に基づいて脳の活性度を演算するようになっている。そして、ＣＰＵ４７は、この演算結果をメモリ４９に記憶させたり、外部機器に出力したりするようになっている。
なお、脳の活性度とは、１つの電極部１５における電気信号の時間的な変化の度合や、複数の電極部１５を設置した頭部Ｈの表面Ｈｓの一定領域内における電気信号の空間的な変化の度合を示すものである。この活性度の数値は、被験者がアルツハイマー型の痴呆患者であるか否かの判断に使用するものである。
メモリ４９に記憶された演算プログラム及びＣＰＵ４７により、検出した電気信号に基づいて活性度を演算する生体信号演算手段が構成されている。
【００２６】
機能情報計測装置７は、多チャンネルロックインアンプ５５と、演算装置（光信号演算手段）５７とを備えている。多チャンネルロックインアンプ５５は、各フォトダイオード３３から出力された電流値データを増幅すると共に前述した２つの波長に分配し、各波長の光強度データとして演算装置５７に出力するものである。
演算装置５７は、検出した光強度データに基づいて血液量変化の数値を演算するものであり、メモリ及びＣＰＵ（いずれも不図示）が設けられている。メモリには、各波長の光強度データに基づいて脳内の血液量変化の数値を演算するための演算プログラムや、任意時間における酸化、還元ヘモグロビン濃度変化率や、酸化、還元ヘモグロビンの吸光係数等の参照データが予め記憶されている。また、このメモリは、演算された血液量変化の数値を記憶させることができるように構成されている。
【００２７】
ＣＰＵは、前述のメモリから演算プログラムや参照データを読み出し、多チャンネルロックインアンプ５５から出力された光強度データに基づいて血液量変化の数値を演算するようになっている。そして、ＣＰＵは、この演算結果を演算装置５７のメモリに記憶させたり、後述するモニタ等の外部機器に出力したりするようになっている。
なお、脳内の血液量変化は、脳内の血管を流れる血液量の変化を示しており、光強度データに基づいて算出される酸化、還元ヘモグロビン濃度変化の和として求められる。この血液量変化の数値は、被験者が脳内血管性痴呆の患者であるか否かの判断に使用するものである。
このＣＰＵ及びメモリに記憶された演算プログラムや参照データにより、光信号演算手段が構成されている。
【００２８】
また、この生体情報測定システム１には、コンピュータ４３及び演算装置５７において演算した演算結果を出力するモニタ（表示手段）５９及びプリンタ６１が設けられている。モニタ５９には、図３，４に示すように、コンピュータ４３及び演算装置５７から出力された脳の活性度や血液量変化の数値が、メモリ４９に記憶された頭部Ｈのモデル画像（図示例では、脳の形状を示す画像）Ｍにマッピングされた状態で表示される。
このモニタ５９においては、例えば、図３に示すように、脳の活性度を示す脳波画像データ（演算結果）Ｄ１及び血液量変化の数値を示す血液量画像データ（機能情報）Ｄ２を１つのモデル画像Ｍに重ねて表示したり、図４に示すように、脳波画像データＤ１及び血液量画像データＤ２を別個のモデル画像Ｍにそれぞれ表示することができる。脳波画像データＤ１及び血液量画像データＤ２を別個のモデル画像Ｍに表示する場合、モニタ５９においては、脳波画像データＤ１を表示領域の大きい親画面に、血液量画像データＤ２を表示領域の小さい子画面にそれぞれ表示することができる。なお、前述とは逆に、モニタにおいて、血液量画像データＤ２を表示領域の大きい親画面に、脳波画像データＤ１を表示領域の小さい子画面にそれぞれ表示することもできる。
また、このモニタ５９においては、脳波画像データＤ１若しくは血液量画像データＤ２のいずれか一方のみをモデル画像Ｍに表示することもできる。プリンタ６１においては、上述したモニタ５９の画面に表示されるものと同様の内容を印刷して出力することができる。なお、このモニタ５９と、コンピュータ４３の生体信号演算手段と、生体情報検出装置３の生体信号検出部１１及び機能情報検出部１３とにより、脳波及び脳内の血管を流れる血液量の変化の各データを画像化する生体情報画像化システムが構成されている。
【００２９】
さらに、この生体情報測定システム１には、コンピュータ４３の入力Ｉ／Ｆ４５に接続されたキーボード６３が設けられている。このキーボード６３においては、前述したモニタ５９における演算結果の表示方法の切換やプリンタ６１における演算結果の印刷等の命令を入力できるようになっている。
【００３０】
次に、上記のように構成された生体情報測定システム１の使用方法について説明する。
はじめに、ヘルメット９を頭部Ｈに被せて各電極部１５及び光ファイバー保持部２７を頭部Ｈの表面Ｈｓに当接させる。この状態においては、ヘルメット９が頭部Ｈに固定されると共に、各電極部１５及び光ファイバー保持部２７が頭部Ｈの表面Ｈｓの所定位置に固定されることになる。
その後、変調半導体レーザ２９から発生した照射光は、各照射用光ファイバー３１を介して頭部Ｈの内部に照射される。そして、フォトダイオード３３は、照射用光ファイバー３１に隣接する受光用光ファイバー３５を介して頭部Ｈの内部において拡散あるいは透過した照射光を受光する。
【００３１】
そして、電極部１５において検出される電気信号をコンピュータ４３に入力すると共に、受光用光ファイバー３５を介してフォトダイオード３３において検出される照射光の光強度データを演算装置５７に入力する。
この際には、ＣＰＵ４７において脳の活性度が演算されると共に、演算装置５７においてヘモグロビン濃度変化値が演算される。そして、これら演算結果は、モニタ５９に表示されると共にメモリ４９や演算装置５７内部のメモリ（不図示）に記憶される。
【００３２】
上記のように、この生体情報検出装置３によれば、電極部１５と光ファイバー保持部２７とを隣接して頭部Ｈの表面に配することにより、頭部Ｈの所定位置における電気信号や血液量変化を示す光強度データを同時に検出できるため、脳内のニューロン活動に加えて血液量変化にも基づく医療診断を短時間で行うことができる。すなわち、例えば、被験者がアルツハイマー型痴呆、脳内血管性痴呆もしくは混合型痴呆の患者か否かの判断を短時間で行うことができる。
また、脳内のニューロン活動及び血液量の時間的な変化も同時に検出できるため、脳内のニューロン活動と血液量変化との相関に基づく医療診断も容易に行うことができる。
さらに、血液量変化はニューロン活動に誘起されるものであるため、電気信号及び血液量変化のデータの両方から脳内のニューロン活動を詳細に調べることもできる。
【００３３】
また、電極部１５及び光ファイバー保持部２７は、相互に隣接した状態でヘルメット９の取付部９ａに固定されるため、ヘルメット９を頭部Ｈに被せる前に、電極部１５及び光ファイバー保持部２７の相対的な位置を予め固定でき、頭部Ｈの表面Ｈｓに対する電極部１５及び光ファイバー保持部２７の位置決めを容易に行うことができる。
さらに、頭部Ｈにヘルメット９を取り付けるだけで、容易に電極部１５及び光ファイバー保持部２７を頭部Ｈの表面Ｈｓに固定できる。また、頭部Ｈにヘルメット９を装着した状態においては、頭部Ｈを動かしても電気信号及び血液量変化のデータを安定して取得できる。
また、受光部２５は脳内において拡散もしくは透過した照射光の光強度を検出するため、血液量変化を計測するための酸化、還元ヘモグロビン濃度変化を正確に測定することができる。
【００３４】
さらに、この生体情報測定システム１によれば、活性度及び血液量変化がモニタ５９の同一画面に表示されるため、この画面を視認することにより生体内部の活性度及び血液量変化に基づく医療診断を容易に行うことができる。
また、モニタ５９の画面において、活性度及び血液量変化を頭部Ｈのモデル画像Ｍに重ねて表示することができるため、頭部Ｈの内部のニューロン活動と血液量変化との相関に基づく医療診断をさらに容易に行うことができる。
【００３５】
なお、上記の実施の形態においては、電極部１５と光ファイバー保持部２７とが相互に隣接してヘルメット９の取付部９ａに配されるとしたが、これに限ることはなく、電極部１５と光ファイバー保持部２７とを一体的に固定するとしても構わない。すなわち、例えば、図５に示すように、電極部１５を構成する電極本体７３及び電解質保持部材７５とリード線１７の一端とを、照射用光ファイバー３１及び受光用光ファイバー３５の一端と共に光ファイバー保持部２７に固定するとしてもよい。この光ファイバー保持部２７の端面２７ａを頭部Ｈの表面Ｈｓに接触させた状態においては、電極部１５の電解質保持部材７５も頭部Ｈの表面Ｈｓに接触することになる。
この構成の場合には、ヘルメット９に対する電極部１５及び光ファイバー保持部２７の着脱作業を簡便に行うことができる。また、電極部１５と光ファイバー保持部２７との相対的な位置を予め固定でき、頭部Ｈの表面Ｈｓに対する電極部１５及び光ファイバー保持部２７の位置決めをさらに容易に行うことができる。また、光ファイバー保持部２７及びヘルメット９の取付部９ａの断面を略円形状に形成することにより、光ファイバー保持部２７を取付部９ａ内において回転させて電極部１５、照射用光ファイバー３１及び受光用光ファイバー３５の位置を容易に変更することもできる。
【００３６】
さらに、変調半導体レーザ２９は、酸化ヘモグロビン濃度変化及び還元ヘモグロビン濃度変化をそれぞれ計測する２種類の波長の照射光を発生するとしたが、これに限ることはなく、さらに多くの種類の波長の照射光を発生するとしても構わない。この構成の場合には、様々な波長を用いることによって酸化、還元ヘモグロビン濃度変化をさらに精度よく計測したり、酸化、還元ヘモグロビン以外の物質濃度の計測を行うことが可能となる。
【００３７】
また、電極部１５や光ファイバー保持部２７は、ヘルメット９に対して着脱可能に固定されるとしたが、これに限ることはなく、例えば、着脱不能に固定されるとしても構わない。
さらに、電極部１５や光ファイバー保持部２７は、ヘルメット９に固定されるとしたが、これに限ることはなく、例えば、フレキシブルに変形可能な網目状のネットキャップに固定されるとしてもよいし、このネットキャップに対して着脱自在に取り付けられるとしても構わない。この構成の場合には、例えば、各電極部１５と各光ファイバー保持部２７との間の距離を変えることもできるため、被験者毎に固有の頭部Ｈの形状に合わせたフレキシブルな装着が可能となる。
【００３８】
また、機能情報検出部１３は、脳内の血液量変化を示す光強度を検出するとしたが、これに限ることはなく、少なくとも脳内に存在する機能情報を検出できればよい。検出する機能情報としては、血液量変化の他に、例えば、グルコース濃度、二酸化炭素濃度、水分量等がある。
さらに、生体情報検出装置３は、頭部Ｈの内部の電気信号及び機能情報を検出するとしたが、頭部Ｈに限ることはなく、少なくとも生体内部の電気信号及び機能情報を検出すればよい。
【００３９】
なお、上述した実施形態は、以下の内容も含んでいる。
従来では、例えば、特開平７−３０８３０３号公報に示すように、生体画像情報の位置を、予め得られている生体機能情報によって特定しており、同時かつ相補的に得ることで痴呆判定能を向上することができなかった。
以下に述べる付記項１から付記項５は、生体信号から得られる生体信号の活性度と、光情報に基づいて得られる生体の機能情報とを同時表示して、痴呆判定能の向上を図ることを目的としたものである。
【００４０】
（付記項１）
生体信号を検出する生体信号検出手段と、
前記生体信号の活性度を演算する演算手段と、
生体の機能情報を検出する生体機能検出手段と、
前記活性度の演算結果と前記機能情報のうちの少なくとも一方をマッピングして表示する表示手段とを備えることを特徴とする生体情報画像化システム。
【００４１】
（付記項２）
前記表示手段が、前記演算結果と前記機能情報を重ねて表示する機能を備えていることを特徴とする付記項１に記載の生体情報画像化システム。
【００４２】
（付記項３）
前記表示手段が、前記演算結果と前記機能情報のうち、一方を親画面表示し、他方を小画面表示する機能を備えることを特徴とする付記項１に記載の生体情報画像化システム。
【００４３】
（付記項４）
前記生体信号が脳波であることを特徴とする付記項１から付記項３のいずれか１項に記載の生体情報画像化システム。
【００４４】
（付記項５）
前記機能情報は、頭部において光照射部から照射されて光検出部により検出される光信号によって構築される脳機能情報であることを特徴とする付記項１から付記項４のいずれか１項に記載の生体情報画像化システム。
【００４５】
上述した付記項１から付記項５の発明によれば、痴呆症（アルツハイマー、脳血管性）の単一症状、複合症状を同時表示できるため、痴呆判別能の向上を図ることができる。
【００４６】
さらに、上述した実施形態は、以下の内容も含んでいる。
従来では、例えば、特開平７−３０８３０３号公報に示すように、生体画像情報を、予め取得した生体機能情報の位置決めを行うために使用しており、同時かつ相補的に得ることで痴呆判定能を向上することができなかった。
【００４７】
以下に述べる付記項６から付記項９は、生体信号から得られる生体信号の活性度と、光情報に基づいて得られる生体の機能情報とを同時に取得して、痴呆判定能の向上を図ることを目的としたものである。
【００４８】
（付記項６）
脳波を検出する脳波検出手段と、
脳の機能情報を検出する脳機能検出手段と、
前記脳波検出手段と前記脳機能検出手段とを同時に取付可能なヘルメットとを備えることを特徴とする脳情報検出ヘルメット。
【００４９】
（付記項７）
前記脳波検出手段が電極であることを特徴とする付記項６に記載の脳情報検出ヘルメット。
【００５０】
（付記項８）
前記脳機能検出手段が光トポグラフィセンサであることを特徴とする付記項６又は付記項７に記載の脳情報検出ヘルメット。
【００５１】
（付記項９）
前記脳波検出手段と前記脳機能検出手段とが一体的に構成されていることを特徴とする付記項６から付記項８のいずれか１項に記載の脳情報検出ヘルメット。
【００５２】
上述した付記項６から付記項９の発明によれば、電極をつけ替える手間が省けると言う効果を奏する。また、検査時間の短縮化や被験者の疲労軽減を図ることができる。したがって、痴呆判定能の向上を図ることができる。
【００５３】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００５４】
【図１】この発明の一実施形態に係る生体情報測定システムを示すブロック図である。
【図２】図１の生体情報測定システムにおいて、電極部及び光ファイバー保持部を示す拡大断面図である。
【図３】図１の生体情報測定システムにおいて、演算結果をモニタに表示した状態を示す図である。
【図４】図１の生体情報測定システムにおいて、演算結果をモニタに表示した状態を示す図である。
【図５】図１の生体情報測定システムにおいて、電極部及び光ファイバー保持部を一体的に固定した状態を示す拡大断面図である。
【符号の説明】
【００５５】
１  生体情報測定システム
３  生体情報検出装置
９  ヘルメット（装着部材）
１１  生体信号検出部
１３  機能情報検出部
１５  電極部
２３  光照射部
２５  受光部
２７  光ファイバー保持部（検出器本体）
４７  ＣＰＵ（生体信号演算手段）
５７  演算装置（光信号演算手段）
５９  モニタ（表示手段）
Ｈ  頭部（生体）
Ｈｓ  表面
Ｍ  モデル画像
【図１】
2006000161.tif 000003
【図２】
2006000161.tif 000004
【図３】
2006000161.tif 000005
【図４】
2006000161.tif 000006
【図５】
2006000161.tif 000007